【手続補正書】
【提出日】平成17年8月5日(2005.8.5)
【手続補正１】
【補正対象書類名】明細書
【補正対象項目名】特許請求の範囲
【補正方法】変更
【補正の内容】
【特許請求の範囲】
【請求項１】
積層された少なくとも第１の情報記録層及び第２の情報記録層を備え、前記第１の情報記録層が、前記第２の情報記録層よりも前記光入射面側に位置する光記録媒体に対し、光入射面から少なくとも記録パワーを含む複数のパワーに変調されたパルス状のレーザビームを照射することによって、互いに長さの異なる複数種類の記録マークを形成する情報記録方法であって、
前記複数種類の記録マークのうち、少なくとも一つの種類の記録マークを、前記第１の情報記録層に形成する場合に、前記レーザビームのトップパルス及び／又はラストパルスの記録パワーを、マルチパルスの記録パワーより低いレベルに設定し、前記第２の情報記録層に形成する場合に、前記レーザビームのトップパルス及び／又はラストパルスの記録パワーを、マルチパルスの記録パワーと同レベルに設定することを特徴とする情報記録方法。
【請求項２】
前記複数種類の記録マークのうち、少なくとも一つの種類の記録マークを、前記第１の情報記録層に形成する場合に、前記トップパルスと前記ラストパルスの記録パワーを同レベルに設定することを特徴とする請求項１に記載の情報記録方法。
【請求項３】
前記複数種類の記録マークのうち、少なくとも一つの種類の記録マークを、前記第２の情報記録層に形成する場合に、前記トップパルスと前記ラストパルスの記録パワーを同レベルに設定することを特徴とする請求項１又は２に記載の情報記録方法。
【請求項４】
前記レーザビームの波長をλとし、前記レーザビームを集光するための対物レンズの開口数をＮＡとした場合に、λ／ＮＡ  ≦  ７００ｎｍの条件を満たすことを特徴とする請求項１乃至３のいずれか１項に記載の情報記録方法。
【請求項５】
前記レーザビームの波長λが、２００〜４５０ｎｍであることを特徴とする請求項４に記載の情報記録方法。
【請求項６】
積層された少なくとも第１の情報記録層及び第２の情報記録層を備え、前記第１の情報記録層が、前記第２の情報記録層よりも前記光入射面側に位置する光記録媒体に対し、光入射面から少なくとも記録パワーを含む複数のパワーに変調されたパルス状のレーザビームを照射することによって、互いに長さの異なる複数種類の記録マークを形成する情報記録装置であって、
前記複数種類の記録マークのうち、少なくとも一つの種類の記録マークを、前記第１の情報記録層に形成する場合に、前記レーザビームのトップパルス及び／又はラストパルスの記録パワーを、マルチパルスの記録パワーより低いレベルに設定し、前記第２の情報記録層に形成する場合に、前記レーザビームのトップパルス及び／又はラストパルスの記録パワーを、マルチパルスの記録パワーと同レベルに設定することを特徴とする情報記録装置。
【請求項７】
前記複数種類の記録マークのうち、少なくとも一つの種類の記録マークを、前記第１の情報記録層に形成する場合に、前記トップパルスと前記ラストパルスの記録パワーを同レベルに設定することを特徴とする請求項６に記載の情報記録装置。
【請求項８】
前記複数種類の記録マークのうち、少なくとも一つの種類の記録マークを、前記第２の情報記録層に形成する場合に、前記トップパルスと前記ラストパルスの記録パワーを同レベルに設定することを特徴とする請求項６又は７に記載の情報記録装置。
【請求項９】
前記レーザビームの波長をλとし、前記レーザビームを集光するための対物レンズの開口数をＮＡとした場合に、λ／ＮＡ  ≦  ７００ｎｍの条件を満たすことを特徴とする請求項６乃至８のいずれか１項に記載の情報記録装置。
【請求項１０】
前記レーザビームの波長λが、２００〜４５０ｎｍであることを特徴とする請求項９に記載の情報記録装置。
【請求項１１】
積層された少なくとも第１の情報記録層及び第２の情報記録層を備え、前記第１の情報記録層が、前記第２の情報記録層よりも前記光入射面側に位置し、光入射面から少なくとも記録パワーを含む複数のパワーに変調されたパルス状のレーザビームを照射することによって、互いに長さの異なる複数種類の記録マークを形成可能な光記録媒体であって、
前記複数種類の記録マークのうち、少なくとも一つの種類の記録マークを、前記第１の情報記録層に形成する場合に、前記レーザビームのトップパルス及び／又はラストパルスの記録パワーを、マルチパルスの記録パワーより低いレベルに設定し、前記第２の情報記録層に形成する場合に、前記レーザビームのトップパルス及び／又はラストパルスの記録パワーを、マルチパルスの記録パワーと同レベルに設定するために必要な設定情報を有していることを特徴とする光記録媒体。
【請求項１２】
前記設定情報が、前記複数種類の記録マークのうち、少なくとも一つの種類の記録マークを、前記第１の情報記録層に形成する場合に、前記トップパルスと前記ラストパルスの記録パワーを同レベルに設定するために必要な情報を含んでいることを特徴とする請求項１１に記載の光記録媒体。
【請求項１３】
前記設定情報が、前記複数種類の記録マークのうち、少なくとも一つの種類の記録マークを、前記第２の情報記録層に形成する場合に、前記トップパルスと前記ラストパルスの記録パワーを同レベルに設定するために必要な情報を含んでいることを特徴とする請求項１１又は１２に記載の光記録媒体。
【請求項１４】
前記レーザビームの光路となる光透過層を備え、前記光透過層の厚さが、３０〜２００μｍであることを特徴とする請求項１１乃至１３のいずれか１項に記載の光記録媒体。
【手続補正２】
【補正対象書類名】明細書
【補正対象項目名】００１２
【補正方法】変更
【補正の内容】
【００１２】
【課題を解決するための手段】
本発明のかかる目的は、積層された少なくとも第１の情報記録層及び第２の情報記録層を備え、前記第１の情報記録層が、前記第２の情報記録層よりも前記光入射面側に位置する光記録媒体に対し、光入射面から少なくとも記録パワーを含む複数のパワーに変調されたパルス状のレーザビームを照射することによって、互いに長さの異なる複数種類の記録マークを形成する情報記録方法であって、前記複数種類の記録マークのうち、少なくとも一つの種類の記録マークを、前記第１の情報記録層に形成する場合に、前記レーザビームのトップパルス及び／又はラストパルスの記録パワーを、マルチパルスの記録パワーより低いレベルに設定し、前記第２の情報記録層に形成する場合に、前記レーザビームのトップパルス及び／又はラストパルスの記録パワーを、マルチパルスの記録パワーと同レベルに設定することを特徴とする情報記録方法によって達成される。
【手続補正３】
【補正対象書類名】明細書
【補正対象項目名】００１３
【補正方法】変更
【補正の内容】
【００１３】
本発明においては、前記複数種類の記録マークのうち、少なくとも一つの種類の記録マークを、前記第１の情報記録層に形成する場合に、前記トップパルスと前記ラストパルスの記録パワーを同レベルに設定することが好ましい。
【手続補正４】
【補正対象書類名】明細書
【補正対象項目名】００１４
【補正方法】変更
【補正の内容】
【００１４】
本発明においては、前記複数種類の記録マークのうち、少なくとも一つの種類の記録マークを、前記第２の情報記録層に形成する場合に、前記トップパルスと前記ラストパルスの記録パワーを同レベルに設定することがさらに好ましい。
【手続補正５】
【補正対象書類名】明細書
【補正対象項目名】００１５
【補正方法】削除
【補正の内容】
【手続補正６】
【補正対象書類名】明細書
【補正対象項目名】００１８
【補正方法】変更
【補正の内容】
【００１８】
本発明の前記目的はまた、積層された少なくとも第１の情報記録層及び第２の情報記録層を備え、前記第１の情報記録層が、前記第２の情報記録層よりも前記光入射面側に位置する光記録媒体に対し、光入射面から少なくとも記録パワーを含む複数のパワーに変調されたパルス状のレーザビームを照射することによって、互いに長さの異なる複数種類の記録マークを形成する情報記録装置であって、前記複数種類の記録マークのうち、少なくとも一つの種類の記録マークを、前記第１の情報記録層に形成する場合に、前記レーザビームのトップパルス及び／又はラストパルスの記録パワーを、マルチパルスの記録パワーより低いレベルに設定し、前記第２の情報記録層に形成する場合に、前記レーザビームのトップパルス及び／又はラストパルスの記録パワーを、マルチパルスの記録パワーと同レベルに設定することを特徴とする情報記録装置によって達成される。
【手続補正７】
【補正対象書類名】明細書
【補正対象項目名】００１９
【補正方法】変更
【補正の内容】
【００１９】
本発明においては、前記複数種類の記録マークのうち、少なくとも一つの種類の記録マークを、前記第１の情報記録層に形成する場合に、前記トップパルスと前記ラストパルスの記録パワーを同レベルに設定することが好ましい。
【手続補正８】
【補正対象書類名】明細書
【補正対象項目名】００２０
【補正方法】変更
【補正の内容】
【００２０】
本発明においては、前記複数種類の記録マークのうち、少なくとも一つの種類の記録マークを、前記第２の情報記録層に形成する場合に、前記トップパルスと前記ラストパルスの記録パワーを同レベルに設定することがさらに好ましい。
【手続補正９】
【補正対象書類名】明細書
【補正対象項目名】００２３
【補正方法】変更
【補正の内容】
【００２３】
本発明の前記目的はまた、積層された少なくとも第１の情報記録層及び第２の情報記録層を備え、前記第１の情報記録層が、前記第２の情報記録層よりも前記光入射面側に位置し、光入射面から少なくとも記録パワーを含む複数のパワーに変調されたパルス状のレーザビームを照射することによって、互いに長さの異なる複数種類の記録マークを形成可能な光記録媒体であって、前記複数種類の記録マークのうち、少なくとも一つの種類の記録マークを、前記第１の情報記録層に形成する場合に、前記レーザビームのトップパルス及び／又はラストパルスの記録パワーを、マルチパルスの記録パワーより低いレベルに設定し、前記第２の情報記録層に形成する場合に、前記レーザビームのトップパルス及び／又はラストパルスの記録パワーを、マルチパルスの記録パワーと同レベルに設定するために必要な設定情報を有していることを特徴とする光記録媒体によって達成される。
【手続補正１０】
【補正対象書類名】明細書
【補正対象項目名】００２４
【補正方法】変更
【補正の内容】
【００２４】
本発明の好ましい実施態様においては、前記設定情報が、前記複数種類の記録マークのうち、少なくとも一つの種類の記録マークを、前記第２の情報記録層に形成する場合に、前記トップパルスと前記ラストパルスの記録パワーを同レベルに設定するために必要な情報を含んでいる。
【手続補正１１】
【補正対象書類名】明細書
【補正対象項目名】００２５
【補正方法】変更
【補正の内容】
【００２５】
本発明のさらに好ましい実施態様においては、前記設定情報が、前記複数種類の記録マークのうち、少なくとも一つの種類の記録マークを、前記第２の情報記録層に形成する場合に、前記トップパルスと前記ラストパルスの記録パワーを同レベルに設定するために必要な情報を含んでいる。